(57)【要約】【課題】スリット光の照射状態と背景照明光の照射状態とを連係制御することが可能なスリットランプ顕微鏡を提供する。【解決手段】実施形態に係るスリットランプ顕微鏡は、主照明系と、背景照明系と、観察系と、制御部とを有する。主照明系は、第１の光を出力する第１の光源部と、幅が可変なスリットを形成するスリット形成部とを含み、スリットを通過した第１の光で被検眼を照明する。背景照明系は、第２の光を出力する第２の光源部を含み、被検眼に対する第１の光の照射領域の周囲の領域を第２の光で照明する。観察系は、接眼レンズと、撮像装置と、被検眼による第１の光の反射光および第２の光の反射光を接眼レンズおよび撮像装置に導く光学素子群とを含む。制御部は、主照明系と第２の光源部とを連係制御する。【選択図】図３
2014188339.tif 000002
【特許請求の範囲】
【請求項１】
第１の光を出力する第１の光源部と、幅が可変なスリットを形成するスリット形成部とを含み、前記スリットを通過した前記第１の光で被検眼を照明する主照明系と、
第２の光を出力する第２の光源部を含み、前記被検眼に対する前記第１の光の照射領域の周囲の領域を前記第２の光で照明する背景照明系と、
接眼レンズと、撮像装置と、前記被検眼による前記第１の光の反射光および前記第２の光の反射光を前記接眼レンズおよび前記撮像装置に導く光学素子群とを含む観察系と、
前記主照明系と前記第２の光源部とを連係制御する制御部と
を有するスリットランプ顕微鏡。
【請求項２】
前記制御部は、前記第１の光源部と前記第２の光源部とを連係制御することを特徴とする請求項１に記載のスリットランプ顕微鏡。
【請求項３】
前記制御部は、前記第２の光源部に対する制御指示を受けたときに、当該制御指示の内容に基づいて前記第１の光源部と前記第２の光源部とを連係制御することを特徴とする請求項２に記載のスリットランプ顕微鏡。
【請求項４】
前記第１の光源部は、前記第１の光として第１の可視光を出力する第１の可視光源を含み、
前記第２の光源部は、前記第２の光として第２の可視光を出力する第２の可視光源を含み、
前記第２の可視光の強度を変更するための指示を前記制御指示として受けたときに、前記制御部は、当該指示に応じた第１の変更量だけ前記第２の可視光の強度を変更させるように前記第２の可視光源を制御し、かつ、前記第１の変更量に応じた第２の変更量だけ前記第１の可視光の強度を変更させるように前記第１の可視光源を制御する
ことを特徴とする請求項３に記載のスリットランプ顕微鏡。
【請求項５】
前記第１の光源部は、前記第１の光として第１の可視光を出力する第１の可視光源を含み、
前記第２の光源部は、前記第２の光として第２の可視光を出力する第２の可視光源と、前記第２の光として赤外光を出力する赤外光源とを含み、
前記制御部は、
前記第２の可視光源と前記赤外光源とを択一的に点灯させ、
前記赤外光源を点灯させるための指示を前記制御指示として受けたときに、前記赤外光源を点灯させるように前記第２の光源部を制御し、かつ、前記第１の可視光の出力を停止させるように前記第１の可視光源を制御する
ことを特徴とする請求項３に記載のスリットランプ顕微鏡。
【請求項６】
前記制御部は、前記第１の光源部に対する制御指示を受けたときに、当該制御指示の内容に基づいて前記第１の光源部と前記第２の光源部とを連係制御することを特徴とする請求項２に記載のスリットランプ顕微鏡。
【請求項７】
前記第１の光源部は、前記第１の光として第１の可視光を出力する第１の可視光源を含み、
前記第２の光源部は、前記第２の光として第２の可視光を出力する第２の可視光源を含み、
前記第１の可視光の強度を変更するための指示を前記制御指示として受けたときに、前記制御部は、当該指示に応じた第１の変更量だけ前記第１の可視光の強度を変更させるように前記第１の可視光源を制御し、かつ、前記第１の変更量に応じた第２の変更量だけ前記第２の可視光の強度を変更させるように前記第２の可視光源を制御する
ことを特徴とする請求項６に記載のスリットランプ顕微鏡。
【請求項８】
前記制御部は、前記スリット形成部と前記第２の光源部とを連係制御することを特徴とする請求項１に記載のスリットランプ顕微鏡。
【請求項９】
前記第１の光源部は、前記第１の光として第１の可視光を出力する第１の可視光源を含み、
前記第２の光源部は、前記第２の光として第２の可視光を出力する第２の可視光源を含み、
前記制御部は、前記スリットの幅を変更するための制御指示を受けたときに、当該制御指示に応じた第１の変更量だけ前記スリットの幅を変更させるように前記スリット形成部を制御し、かつ、前記第１の変更量に応じた第２の変更量だけ前記第２の可視光の強度を変更させるように前記第２の可視光源を制御する
ことを特徴とする請求項８に記載のスリットランプ顕微鏡。
【請求項１０】
前記制御部は、前記スリットの幅を所定閾値以上に拡大するように前記スリット形成部の制御を行う場合、前記第２の可視光源を消灯させることを特徴とする請求項９に記載のスリットランプ顕微鏡。
【請求項１１】
前記第１の光源部は、前記第１の光として第１の可視光を出力する第１の可視光源を含み、
前記第２の光源部は、前記第２の光として第２の可視光を出力する第２の可視光源と、前記第２の光として赤外光を出力する赤外光源とを含み、
前記制御部は、
前記第２の可視光源と前記赤外光源とを択一的に点灯させ、
前記赤外光源を点灯させるための制御指示を受けたときに、前記赤外光源を点灯させるように前記第２の光源部を制御し、かつ、前記スリットを閉じさせるように前記スリット形成部を制御する
ことを特徴とする請求項８に記載のスリットランプ顕微鏡。
【請求項１２】
前記制御指示を入力するための操作部を有することを特徴とする請求項３〜請求項７および請求項９〜請求項１１のいずれか一項に記載のスリットランプ顕微鏡。
【請求項１３】
前記第２の光源部は、前記第２の光として可視光を出力する可視光源と、前記第２の光として赤外光を出力する赤外光源とを含み、
前記制御部は、前記可視光源と前記赤外光源とを択一的に点灯させ、かつ、前記可視光源および前記赤外光源のいずれが点灯されているかを示す情報を表示手段に表示させる
ことを特徴とする請求項１〜請求項１２のいずれか一項に記載のスリットランプ顕微鏡。
【発明の詳細な説明】
【技術分野】
【０００１】
この発明はスリットランプ顕微鏡に関する。
【背景技術】
【０００２】
スリットランプ顕微鏡は、スリット光を用いて角膜の光切片を切り取ることにより角膜の断面の画像を取得する眼科装置である。特許文献１および２に開示されているように、スリットランプ顕微鏡は、被検眼にスリット光を照射するための主照明系と、スリット光の周囲の領域を照明するための背景照明系とを有する。背景照明系により被検眼に照射される光を背景照明光と呼ぶ。
【０００３】
背景照明系は、主照明系の光源からの光を導く光学系として構成されている。したがって、スリット光の照射状態と背景照明光の照射状態とをそれぞれ独立に制御したり、それらを連係制御したりすることは困難であった
【先行技術文献】
【特許文献】
【０００４】
【特許文献１】特開平６−９０９０５号公報
【特許文献２】特開２００３−２９９６１９号公報
【発明の概要】
【発明が解決しようとする課題】
【０００５】
この発明は、上記の問題を解決するためになされたものであり、その目的は、スリット光の照射状態と背景照明光の照射状態とを連係制御することが可能なスリットランプ顕微鏡を提供することにある。
【課題を解決するための手段】
【０００６】
上記目的を達成するために、請求項１に記載の発明は、第１の光を出力する第１の光源部と、幅が可変なスリットを形成するスリット形成部とを含み、前記スリットを通過した前記第１の光で被検眼を照明する主照明系と、第２の光を出力する第２の光源部を含み、前記被検眼に対する前記第１の光の照射領域の周囲の領域を前記第２の光で照明する背景照明系と、接眼レンズと、撮像装置と、前記被検眼による前記第１の光の反射光および前記第２の光の反射光を前記接眼レンズおよび前記撮像装置に導く光学素子群とを含む観察系と、前記主照明系と前記第２の光源部とを連係制御する制御部とを有するスリットランプ顕微鏡である。
請求項２に記載の発明は、請求項１に記載のスリットランプ顕微鏡であって、前記制御部は、前記第１の光源部と前記第２の光源部とを連係制御することを特徴とする。
請求項３に記載の発明は、請求項２に記載のスリットランプ顕微鏡であって、前記制御部は、前記第２の光源部に対する制御指示を受けたときに、当該制御指示の内容に基づいて前記第１の光源部と前記第２の光源部とを連係制御することを特徴とする。
請求項４に記載の発明は、請求項３に記載のスリットランプ顕微鏡であって、前記第１の光源部は、前記第１の光として第１の可視光を出力する第１の可視光源を含み、前記第２の光源部は、前記第２の光として第２の可視光を出力する第２の可視光源を含み、前記第２の可視光の強度を変更するための指示を前記制御指示として受けたときに、前記制御部は、当該指示に応じた第１の変更量だけ前記第２の可視光の強度を変更させるように前記第２の可視光源を制御し、かつ、前記第１の変更量に応じた第２の変更量だけ前記第１の可視光の強度を変更させるように前記第１の可視光源を制御することを特徴とする。
請求項５に記載の発明は、請求項３に記載のスリットランプ顕微鏡であって、前記第１の光源部は、前記第１の光として第１の可視光を出力する第１の可視光源を含み、前記第２の光源部は、前記第２の光として第２の可視光を出力する第２の可視光源と、前記第２の光として赤外光を出力する赤外光源とを含み、前記制御部は、前記第２の可視光源と前記赤外光源とを択一的に点灯させ、前記赤外光源を点灯させるための指示を前記制御指示として受けたときに、前記赤外光源を点灯させるように前記第２の光源部を制御し、かつ、前記第１の可視光の出力を停止させるように前記第１の可視光源を制御することを特徴とする。
請求項６に記載の発明は、請求項２に記載のスリットランプ顕微鏡であって、前記制御部は、前記第１の光源部に対する制御指示を受けたときに、当該制御指示の内容に基づいて前記第１の光源部と前記第２の光源部とを連係制御することを特徴とする。
請求項７に記載の発明は、請求項６に記載のスリットランプ顕微鏡であって、前記第１の光源部は、前記第１の光として第１の可視光を出力する第１の可視光源を含み、前記第２の光源部は、前記第２の光として第２の可視光を出力する第２の可視光源を含み、前記第１の可視光の強度を変更するための指示を前記制御指示として受けたときに、前記制御部は、当該指示に応じた第１の変更量だけ前記第１の可視光の強度を変更させるように前記第１の可視光源を制御し、かつ、前記第１の変更量に応じた第２の変更量だけ前記第２の可視光の強度を変更させるように前記第２の可視光源を制御することを特徴とする。
請求項８に記載の発明は、請求項１に記載のスリットランプ顕微鏡であって、前記制御部は、前記スリット形成部と前記第２の光源部とを連係制御することを特徴とする。
請求項９に記載の発明は、請求項８に記載のスリットランプ顕微鏡であって、前記第１の光源部は、前記第１の光として第１の可視光を出力する第１の可視光源を含み、前記第２の光源部は、前記第２の光として第２の可視光を出力する第２の可視光源を含み、前記制御部は、前記スリットの幅を変更するための制御指示を受けたときに、当該制御指示に応じた第１の変更量だけ前記スリットの幅を変更させるように前記スリット形成部を制御し、かつ、前記第１の変更量に応じた第２の変更量だけ前記第２の可視光の強度を変更させるように前記第２の可視光源を制御することを特徴とする。
請求項１０に記載の発明は、請求項９に記載のスリットランプ顕微鏡であって、前記制御部は、前記スリットの幅を所定閾値以上に拡大するように前記スリット形成部の制御を行う場合、前記第２の可視光源を消灯させることを特徴とする。
請求項１１に記載の発明は、請求項８に記載のスリットランプ顕微鏡であって、前記第１の光源部は、前記第１の光として第１の可視光を出力する第１の可視光源を含み、前記第２の光源部は、前記第２の光として第２の可視光を出力する第２の可視光源と、前記第２の光として赤外光を出力する赤外光源とを含み、前記制御部は、前記第２の可視光源と前記赤外光源とを択一的に点灯させ、前記赤外光源を点灯させるための制御指示を受けたときに、前記赤外光源を点灯させるように前記第２の光源部を制御し、かつ、前記スリットを閉じさせるように前記スリット形成部を制御することを特徴とする。
請求項１２に記載の発明は、請求項３〜請求項７および請求項９〜請求項１１のいずれか一項に記載のスリットランプ顕微鏡であって、前記制御指示を入力するための操作部を有することを特徴とする。
請求項１３に記載の発明は、請求項１〜請求項１２のいずれか一項に記載のスリットランプ顕微鏡であって、前記第２の光源部は、前記第２の光として可視光を出力する可視光源と、前記第２の光として赤外光を出力する赤外光源とを含み、前記制御部は、前記可視光源と前記赤外光源とを択一的に点灯させ、かつ、前記可視光源および前記赤外光源のいずれが点灯されているかを示す情報を表示手段に表示させることを特徴とする。
【発明の効果】
【０００７】
この発明によれば、スリット光の照射状態と背景照明光の照射状態とを連係制御することが可能である。
【図面の簡単な説明】
【０００８】
【図１】実施形態に係るスリットランプ顕微鏡の構成の一例を表す概略図である。
【図２】実施形態に係るスリットランプ顕微鏡の構成の一例を表す概略図である。
【図３】実施形態に係るスリットランプ顕微鏡の構成の一例を表す概略図である。
【図４】実施形態に係るスリットランプ顕微鏡の動作の一例を表すフローチャートである。
【図５】実施形態に係るスリットランプ顕微鏡の動作の一例を表すフローチャートである。
【図６】実施形態に係るスリットランプ顕微鏡の動作の一例を表すフローチャートである。
【図７】実施形態に係るスリットランプ顕微鏡の動作の一例を表すフローチャートである。
【図８】実施形態に係るスリットランプ顕微鏡の動作の一例を表すフローチャートである。
【図９】実施形態に係るスリットランプ顕微鏡の動作の一例を表すフローチャートである。
【発明を実施するための形態】
【０００９】
この発明に係るスリットランプ顕微鏡の実施形態の一例について、図面を参照しながら詳細に説明する。なお、この明細書に記載された文献の記載内容を、以下の実施形態の内容として適宜援用することが可能である。
【００１０】
まず方向を定義しておく。装置光学系において最も被検者側に位置するレンズ（対物レンズ）から被検者に向かう方向を前方向とし、その逆方向を後方向とする。また、前方向に直交する水平方向を左右方向とする。更に、前後方向と左右方向の双方に直交する方向を上下方向とする。
【００１１】
［外観構成］
この実施形態に係るスリットランプ顕微鏡の外観構成について、図１を参照しながら説明する。スリットランプ顕微鏡１には、コンピュータ１００が接続されている。コンピュータ１００は、各種の制御処理や演算処理を行う。なお、顕微鏡本体（光学系等を格納する筐体）とは別にコンピュータ１００を設ける代わりに、顕微鏡本体に同様のコンピュータを搭載した構成を適用することも可能である。
【００１２】
スリットランプ顕微鏡１はテーブル２上に載置される。なお、コンピュータ１００は他のテーブル上またはその他の場所に設置されていてもよい。基台４は、移動機構部３を介して水平方向に移動可能に構成されている。基台４は、操作ハンドル５を傾倒操作することにより移動される。
【００１３】
基台４の上面には、観察系６および照明系８を支持する支持部１５が設けられている。また、支持部１５には、図２に示す背景照明系２０を支持している。支持部１５には、観察系６を支持する支持アーム１６が左右方向に回動可能に取り付けられている。支持アーム１６の上部には、照明系８および背景照明系２０を支持する支持アーム１７が左右方向に回動可能に取り付けられている。支持アーム１６、１７は、それぞれ独立に同軸で回動可能とされている。
【００１４】
観察系６は、支持アーム１６を手動で回動させることで移動される。照明系８および背景照明系２０は、支持アーム１７を手動で回動させることで移動される。なお、各支持アーム１６、１７は、電気的な機構によって回動されるように構成されていてもよい。その場合、各支持アーム１６、１７を回動させるための駆動力を発生するアクチュエータと、この駆動力を伝達する伝達機構とが設けられる。アクチュエータは、たとえばステッピングモータ（パルスモータ）により構成される。伝達機構は、たとえば歯車の組み合わせやラック・アンド・ピニオンなどによって構成される。
【００１５】
照明系８は、被検眼Ｅに照明光を照射する。照明系８は、前述のように、回動軸を中心に左右方向に振ることができる。それにより被検眼Ｅに対する照明光の照射方向が変更される。照明系８は上下方向にも振れるように構成されていてもよい。つまり、照明光の仰角や俯角を変更できるように構成されていてもよい。
【００１６】
照明光の強度の変更は、基台４上に設けられた照明強度操作部１８を用いて行われる。なお、背景照明系２０により被検眼Ｅに照射される背景照明光の強度についても、照明強度操作部１８を用いて行えるように構成されていてもよい。また、照明光や背景照明光の強度の変更を、他の操作部材により行えるように構成することも可能である。他の操作部材としては、スリットランプ顕微鏡１の筐体に設けられた操作部材や、コンピュータ１００に設けられた操作部材がある。
【００１７】
観察系６は、照明光（および背景照明光）の被検眼Ｅからの反射光を案内する左右一対の光学系を有する。この光学系は鏡筒本体９内に収納されている。鏡筒本体９の終端は接眼部９ａである。検者は接眼部９ａをのぞき込むことで被検眼Ｅを肉眼で観察する。前述のように、支持アーム１６を回動させることにより鏡筒本体９を左右方向に回動させることができる。それにより被検眼Ｅに対する観察系６の向きを変更することができる。なお、照明光の反射光には、たとえば散乱光のように被検眼Ｅを経由した各種の光が含まれるが、これら各種の光を含めて「反射光」と呼ぶことにする。
【００１８】
鏡筒本体９に対峙する位置には顎受け台１０が配置されている。顎受け台１０には、被検者の顔を安定配置させるための顎受部１０ａと額当て１０ｂが設けられている。
【００１９】
鏡筒本体９の側面には、観察倍率を変更するための観察倍率操作ノブ１１が配置されている。更に、鏡筒本体９には、被検眼Ｅを撮影するための撮像装置１３が接続されている。撮像装置１３は撮像素子を含んで構成されている。撮像素子は、光を検出して電気信号（画像信号）を出力する光電変換素子である。画像信号はコンピュータ１００に入力される。撮像素子としては、たとえばＣＣＤ（Ｃｈａｒｇｅ  Ｃｏｕｐｌｅｄ  Ｄｅｖｉｃｅ）イメージセンサや、ＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサが用いられる。照明系８の下方位置には、照明系８から出力される照明光束を被検眼Ｅに向けて反射するミラー１２が配置されている。また、ミラー１２は、背景照明系２０から出力される背景照明光を被検眼Ｅに向けて反射する。
【００２０】
［光学系の構成］
スリットランプ顕微鏡１の光学系の構成について、図２を参照しながら説明する。スリットランプ顕微鏡１は、観察系６と、照明系８と、背景照明系２０とを有する。
【００２１】
〔観察系〕
観察系６は左右一対の光学系を備えている。左右の光学系は、ほぼ同様の構成を有する。検者は、この左右の光学系により被検眼Ｅを双眼で観察することができる。なお、図２には、観察系６の左右の光学系の一方のみが示されている。符号Ｏ１は観察系６の光軸（観察光軸）である。
【００２２】
観察系６の左右の各光学系は、対物レンズ３１、変倍光学系３２、絞り３３、リレーレンズ３５、プリズム３６および接眼レンズ３７を有する。ビームスプリッタ３４は、左右の光学系の一方にまたは双方に設けられる。接眼レンズ３７は接眼部９ａ内に設けられている。符号Ｐは、接眼レンズ３７に導かれる光の結像位置を示している。符号Ｅｃは被検眼Ｅの角膜を、符号Ｅｐは虹彩を、符号Ｅｒは眼底をそれぞれ示している。符号Ｅｏは検者眼を示している。
【００２３】
変倍光学系３２は、複数（たとえば２枚）の変倍レンズ３２ａ、３２ｂを含んで構成される。この実施形態では、観察系６の光路に対して選択的に挿入可能な複数の変倍レンズ群が設けられている。これら変倍レンズ群は、それぞれ異なる倍率を付与するように構成されている。観察系６の光路に配置された変倍レンズ群が変倍レンズ３２ａ、３２ｂとして用いられる。それにより、被検眼Ｅの肉眼観察像や撮影画像の倍率（画角）を変更できる。倍率の変更、つまり観察系６の光路に配置される変倍レンズ群の切り替えは、観察倍率操作ノブ１１を操作することにより行われる。また、図示しないスイッチ等を用いて電動で倍率を変更するように構成してもよい。
【００２４】
ビームスプリッタ３４は、観察光軸Ｏ１に沿って進む光を二分割する。ビームスプリッタ３４を透過した光は、リレーレンズ３５、プリズム３６および接眼レンズ３７を介して検者眼Ｅｏに導かれる。プリズム３６は、２つの光学素子３６ａ、３６ｂを含み、光の進行方向を上方に平行移動させる。
【００２５】
他方、ビームスプリッタ３４により反射された光は、リレーレンズ４１およびミラー４２を介して、撮像装置１３の撮像素子４３に導かれる。撮像素子４３は、この反射光を検出して画像信号を生成する。
【００２６】
〔照明系〕
照明系８は、光源５１、リレーレンズ５２、照明絞り５６、集光レンズ５３、スリット形成部５４および集光レンズ５５を有する。符号Ｏ２は、照明系８の光軸（照明光軸）を示す。
【００２７】
光源５１は照明光を出力する。なお、照明系８に複数の光源を設けてもよい。たとえば、定常光を出力する光源（ハロゲンランプ、ＬＥＤ等）と、フラッシュ光を出力する光源（キセノンランプ、ＬＥＤ等）の双方を光源５１として設けることができる。また、角膜観察用の光源と眼底観察用の光源とを別々に設けてもよい。光源５１は、可視光を出力する可視光源を少なくとも含む。
【００２８】
スリット形成部５４は、スリット光を生成するために用いられる。スリット形成部５４は、一対のスリット刃を有する。これらスリット刃の間隔（スリット幅）を変更することによりスリット光の幅が変更される。
【００２９】
照明絞り５６は、その透光部のサイズを変更可能に構成されている。照明絞り５６は、特に眼底観察において有効である。たとえば、照明絞り５６には、角膜Ｅｃや水晶体による照明光の反射を低減させたり、照明光の明るさを調整したりといった用途がある。
【００３０】
〔背景照明系〕
背景照明光２０は、被検眼Ｅに背景照明光を照射する。背景照明光は、照明系８による被検眼Ｅに対する照明光の照射領域の周囲の領域に照射される。なお、背景照明光の照射領域は、少なくともこの周囲領域を含むものであればよい。たとえば、背景照明光の照射領域は、照明系８による照射領域の少なくとも一部と重複していてもよい。
【００３１】
背景照明系２０は、光源（背景光源）を含む。背景光源は、可視光を出力する可視光源を少なくとも含む。この可視光は、たとえば肉眼観察や撮影に用いられる。背景光源は、赤外光を出力する赤外光源を含んでいてもよい。この赤外光は、たとえばマイボーム腺の観察や撮影に用いられる。背景照明系２０が可視光源と背景光源の双方を含む場合、これら光源はたとえば択一的に使用される。背景照明系２０は、背景光源から出力された光を集束させる１つ以上のレンズを含んでいてもよい。符号Ｏ３は、背景照明系２０の光軸（背景照明光軸）を示す。
【００３２】
背景光源から出力された光は、（上記レンズによって集光された後、）ミラー１２により反射されて被検眼Ｅに照射される。この背景照明光の照射領域は、照明系８による被検眼Ｅの照射領域の周囲の領域を含む。
【００３３】
［制御系の構成］
スリットランプ顕微鏡１の制御系について、図３を参照しながら説明する。スリットランプ顕微鏡１の制御系は、制御部１０１を中心に構成されている。なお、制御系の構成の少なくとも一部がコンピュータ１００に含まれていてもよい。
【００３４】
〔制御部〕
制御部１０１は、スリットランプ顕微鏡１の各部を制御する。制御部１０１は、観察系６の制御、照明系８の制御、および背景照明系２０の制御を行う。観察系６の制御としては、変倍光学系３２の制御、絞り３３の制御、撮像素子４３の電荷蓄積時間、感度、フレームレート等の制御などがある。照明系８の制御としては、光源５１の制御、スリット形成部５４の制御、照明絞り５６の制御などがある。背景照明系２０の制御としては、背景光源の制御などがある。図３に示す例では、背景光源として、可視光を出力する可視背景光源２０ａと、赤外光を出力する赤外背景光源２０ｂとが設けられているが、これらのうち一方（たとえば可視背景光源）のみが設けられていてよい。
【００３５】
制御部１０１は、マイクロプロセッサ、ＲＡＭ、ＲＯＭ、ハードディスクドライブ等を含んで構成される。ＲＯＭやハードディスクドライブ等の記憶装置には、制御プログラムがあらかじめ記憶されている。制御部１０１の動作は、この制御プログラムとハードウェアとが協働することによって実現される。制御部１０１は、スリットランプ顕微鏡１の装置本体（たとえば基台４内）やコンピュータ１００に配置される。
【００３６】
〔表示部〕
表示部１０２は、制御部１０１の制御を受けて各種の情報を表示する。表示部１０２は、ＬＣＤ等のフラットパネルディスプレイなどの表示デバイスを含んで構成される。表示部１０２は、スリットランプ顕微鏡１の装置本体に設けられていてもよいし、コンピュータ１００に設けられていてもよい。
【００３７】
〔操作部〕
操作部１０３は、操作デバイスや入力デバイスを含んで構成される。操作部１０３には、スリットランプ顕微鏡１に設けられたボタンやスイッチ（たとえば操作ハンドル５、照明強度操作部１８等）や、コンピュータ１００に設けられた操作デバイス（マウス、キーボード等）が含まれる。また、操作部１０３は、トラックボール、操作パネル、スイッチ、ボタン、ダイアルなど、任意の操作デバイスや入力デバイスを含んでいてよい。
【００３８】
図３では、表示部１０２と操作部１０３とを別々に表しているが、これらの少なくとも一部を一体的に構成することも可能である。その具体例として、タッチスクリーンを用いることができる。
【００３９】
［動作］
スリットランプ顕微鏡１の動作について説明する。スリットランプ顕微鏡１の動作例を図４〜図９に示す。
【００４０】
図４〜図６に示す第１〜第３の動作例では、照明系８の光源５１と、背景照明系２０の背景光源とを連係制御する場合について説明する。特に、第１および第２の動作例は、背景光源に対する制御指示に応じて光源５１と背景光源とを連係制御する場合に相当する。また、第３の動作例は、光源５１に対する制御指示に応じて光源５１と背景光源とを連係制御する場合に相当する。
【００４１】
図７および図８に示す第４および第５の動作例では、照明系８のスリット形成部５４と、背景照明系２０の背景光源とを連係制御する場合について説明する。特に、第４の動作例は、スリット形成部５４に対する制御指示に応じてスリット形成部５４と背景光源とを連係制御する場合に相当する。また、第５の動作例は、背景光源に対する制御指示に応じてスリット形成部５４と背景光源とを連係制御する場合に相当する。
【００４２】
図９に示す第６の動作例は、背景照明系２０に可視背景光源と赤外背景光源の双方が設けられている場合に適用可能である。
【００４３】
なお、制御指示とは、対象となる構成要素（光源５１、背景光源、スリット形成部５４）に対する制御内容を制御部１０１に入力する動作を示す。制御指示は、手動でまたは自動で行われる。手動での制御指示は操作部１０３を用いて行われる。
【００４４】
自動での制御指示としては、たとえばクリニカルパスが適用される場合のように検査の順序があらかじめ設定されている場合において、一の検査から他の検査への移行に伴い、これを行うことができる。
【００４５】
自動での制御指示の他の例として、撮像装置１３により取得された撮影画像に基づく方法がある。具体例として、撮影画像の画素値を解析することで照明条件を特定する照明条件特定部と、特定された照明条件に基づいて制御内容を決定する制御内容決定部とを、制御部１０１に設ける。照明条件としては、照明光の強度、スリット幅、背景照明光の強度などがある。また、照明条件は、照明光の強度（またはスリット幅）と背景照明光の強度との相対関係（強弱またはその程度など）であってよい。なお、照明条件はこれらに限定されるものではなく、被検眼Ｅに対する照明状態を表すものであればよい。このような構成が適用される場合、照明条件と制御内容とを対応付ける対応情報が、あらかじめ記憶部に記憶される。記憶部は制御部１０１に設けられる。対応情報の作成は、たとえば、模型眼や生体眼に対して様々な照明条件および制御内容を試行することにより、または理論的なシミュレーションを行うことにより行われる。まとめると、このような構成において、照明条件特定部は撮影画像を解析して照明条件を特定し、制御内容決定部はこの照明条件に対応する制御内容を対応情報に基づき決定し、制御部１０１はこの制御内容に基づいて制御を行う。なお、自動での制御指示に基づく制御はこれらに限定されるものではない。
【００４６】
また、連係制御とは、１つの制御指示に対応して２つ以上の構成要素に対する制御を実行することを示す。以下、第１〜第６の動作例をそれぞれ説明する。なお、各動作例の前段階で行われる動作や処理は既に実行されているものとする。
【００４７】
〔第１の動作例：図４〕
第１の動作例では、背景光源に対する制御指示に応じて光源５１と背景光源とを連係制御する場合を説明する。この動作例は、光源５１および背景光源の双方が可視光源である場合に適用される。すなわち、この動作例が適用される場合、赤外背景光源２０ｂが設けられる必要はない。
【００４８】
また、この動作例が適用される場合、可視背景光源２０ａに対する制御内容と、光源５１に対する制御内容とを対応付ける対応情報が、制御部１０１の記憶部にあらかじめ記憶される。この対応情報には、たとえば、可視背景光源２０ａに印加される電流および／または電圧の値と、光源５１に印加される電流および／電圧の値とが対応付けられている。対応情報の作成は、たとえば、模型眼や生体眼に対して様々な制御内容を試行することにより、または理論的なシミュレーションを行うことにより行われる。また、対応情報に含まれる電流値や電圧値は、光源の特性（定電圧制御、定電流制御、発光効率、発光スペクトル等）に応じて決定される。他の動作例における対応情報についても同様にして決定することが可能である。
【００４９】
（ステップ１：背景照明光の強度の変更指示）
制御指示として、可視背景光源２０ａから出力される光（背景照明光）の強度を変更するための指示がなされる。この制御指示は、操作部１０３を用いて、または制御部１０１によって実行される。
【００５０】
（ステップ２：制御内容の決定）
制御部１０１は、対応情報を参照することで、ステップ１で入力された制御指示に対応する制御内容を決定する。この動作例では、可視光である背景照明光の強度の変更内容に基づいて、光源５１に対する制御内容（電流値および／または電圧値）と、可視背景光源２０ａに対する制御内容（電流値および／または電圧値）とを決定する。
【００５１】
（ステップ３：可視背景光源の制御）
制御部１０１は、ステップ２で決定された制御内容に基づいて可視背景光源２０ａを制御する。それにより、可視背景光源２０ａから出力される背景照明光の強度が、制御指示に応じた変更量だけ変更される。
【００５２】
（ステップ４：照明系の光源の制御）
制御部１０１は、ステップ２で決定された制御内容に基づいて光源５１を制御する。それにより、光源５１から出力される照明光の強度が、背景照明光の強度の変更量に応じた変更量だけ変更される。
【００５３】
なお、ステップ３およびステップ４の実行タイミングは任意である。たとえば、制御部１０１は、ステップ３およびステップ４の一方を実行させた後に、他方を実行させることができる。また、制御部１０１は、ステップ３とステップ４とを並行して実行させることができる。
【００５４】
〔第２の動作例：図５〕
第２の動作例では、背景光源に対する制御指示に応じて光源５１と背景光源とを連係制御する場合を説明する。この動作例は、光源５１が可視光源であり、かつ背景光源が可視背景光源と赤外背景光源の双方を含む場合に適用される。
【００５５】
この動作例が適用される場合、背景光源に対する制御内容と、光源５１に対する制御内容とを対応付ける対応情報が、制御部１０１の記憶部にあらかじめ記憶される。この対応情報には、たとえば、使用される背景光源の種別（可視背景光源２０ａ、赤外背景光源２０ｂ）と、光源５１の使用の有無とが対応付けられている。この動作例の対応情報では、使用される背景光源の種別が赤外背景光源２０ｂであることと、可視光源である光源５１を使用しないこととが対応付けられている。加えて、使用される背景光源の種別が可視背景光源２０ａであることに対し、光源５１を使用すること、更にはその出力光の強度（電流値や電圧値）が、対応情報に対応付けられていてよい。
【００５６】
（ステップ１１：赤外背景光源の点灯指示）
制御指示として、赤外背景光源２０ｂを点灯させるための指示がなされる。この制御指示は、操作部１０３を用いて、または制御部１０１によって実行される。この制御指示は、可視背景光源２０ａが点灯されている状態から赤外背景光源２０ｂの点灯に切り替えるための指示、または背景照明光が照明されていない状態において赤外背景光源２０ｂを点灯させるための指示である。
【００５７】
（ステップ１２：制御内容の決定）
制御部１０１は、対応情報を参照することで、ステップ１１で入力された制御指示（赤外背景光源２０ｂの点灯）に対応する制御内容を決定する。この制御内容は、光源５１の不使用である。光源５１の不使用とは、光源５１が点灯されている状態から光源５１を消灯させること、または光源５１が点灯されていない状態を維持することである。
【００５８】
（ステップ１３：赤外背景光源の点灯）
制御部１０１は、ステップ１２で決定された制御内容に基づいて赤外背景光源２０ｂを点灯させる。それにより、赤外光を含む背景照明光が被検眼Ｅに照射される。なお、可視背景光源２０ａが点灯されている状態においてステップ１１の制御指示がなされた場合、制御部１０１は、可視背景光源２０ａを消灯させる。
【００５９】
（ステップ１４：照明系の光源の消灯）
光源５１が消灯されている状態においてステップ１１の制御指示がなされた場合には、ステップ１４を行う必要はない。一方、光源５１が点灯されている状態においてステップ１１の制御指示がなされた場合、制御部１０１は、ステップ１２で決定された制御内容に基づいて光源５１を消灯させる。なお、ステップ１４を実行する場合において、ステップ１３およびステップ１４の実行タイミングは任意である。
【００６０】
〔第３の動作例：図６〕
第３の動作例では、照明系８の光源５１に対する制御指示に応じて光源５１と背景光源とを連係制御する場合を説明する。この動作例は、光源５１が可視光源であり、かつ背景光源が可視背景光源を含む場合に適用される。
【００６１】
この動作例が適用される場合、光源５１に対する制御内容と、可視背景光源２０ａに対する制御内容とを対応付ける対応情報が、制御部１０１の記憶部にあらかじめ記憶される。この対応情報には、たとえば、光源５１に印加される電流および／電圧の値と、可視背景光源２０ａに印加される電流および／または電圧の値とが対応付けられている。
【００６２】
（ステップ２１：照明光の強度の変更指示）
制御指示として、光源５１から出力される光（照明光）の強度を変更するための指示がなされる。この制御指示は、操作部１０３を用いて、または制御部１０１によって実行される。
【００６３】
（ステップ２２：制御内容の決定）
制御部１０１は、対応情報を参照することで、ステップ２１で入力された制御指示に対応する制御内容を決定する。この動作例では、可視光である照明光の強度の変更内容に基づいて、光源５１に対する制御内容（電流値および／または電圧値）と、可視背景光源２０ａに対する制御内容（電流値および／または電圧値）とを決定する。
【００６４】
（ステップ２３：照明系の光源の制御）
制御部１０１は、ステップ２２で決定された制御内容に基づいて光源５１を制御する。それにより、光源５１から出力される照明光の強度が、制御指示に応じた変更量だけ変更される。
【００６５】
（ステップ２４：可視背景光源の制御）
制御部１０１は、ステップ２２で決定された制御内容に基づいて可視背景光源２０ａを制御する。それにより、可視背景光源２０ａから出力される背景照明光の強度が、照明光の強度の変更量に応じた変更量だけ変更される。なお、ステップ２３およびステップ２４の実行タイミングは任意である。
【００６６】
〔第４の動作例：図７〕
第４の動作例では、スリット形成部５４に対する制御指示に応じてスリット形成部５４と背景光源とを連係制御する場合を説明する。この動作例は、光源５１が可視光源であり、かつ背景光源が可視背景光源を含む場合に適用される。
【００６７】
この動作例が適用される場合、スリット形成部５４に対する制御内容と、可視背景光源２０ａに対する制御内容とを対応付ける対応情報が、制御部１０１の記憶部にあらかじめ記憶される。この対応情報には、たとえば、スリット幅の値と、可視背景光源２０ａに印加される電流および／または電圧の値とが対応付けられている。また、この対応情報は、スリット幅の閾値を記憶したものでもよい。
【００６８】
（ステップ３１：スリット幅の変更指示）
制御指示として、スリット形成部５４により形成されるスリットの幅を変更するための指示がなされる。この制御指示は、操作部１０３を用いて、または制御部１０１によって実行される。
【００６９】
（ステップ３２：制御内容の決定）
制御部１０１は、対応情報を参照することで、ステップ３１で入力された制御指示に対応する制御内容を決定する。この動作例では、スリット幅の変更内容に基づいて、スリット形成部５４に対する制御内容と、可視背景光源２０ａに対する制御内容（電流値および／または電圧値）とを決定する。スリット形成部５４に対する制御内容は、たとえばスリット形成部５４のアクチュエータがパルスモータである場合には、このパルスモータに送信されるパルス数である。
【００７０】
スリット幅の閾値が対応情報に含まれている場合の処理の例として、制御部１０１は、制御指示が示すスリット幅が閾値以上であるか判定する。スリット幅が閾値以上であると判定された場合、制御部１０１は、スリット形成部５４に対する制御内容として、スリット幅を制御指示に示す値に拡大することを決定し、かつ、可視背景光源２０ａに対する制御内容として、可視背景光源２０ａの消灯すること（つまり電流値＝０、電圧値＝０）を決定する。
【００７１】
（ステップ３３：スリット形成部の制御）
制御部１０１は、ステップ３２で決定された制御内容に基づいてスリット幅を制御する。それにより、制御指示に応じた変更量だけスリット幅が変更される。
【００７２】
（ステップ３４：可視背景光源の制御）
制御部１０１は、ステップ３２で決定された制御内容に基づいて可視背景光源２０ａを制御する。それにより、可視背景光源２０ａから出力される背景照明光の強度が、照明光の強度の変更量に応じた変更量だけ変更される。上記の閾値判定を行う場合においては、制御部１０１は、可視背景光源２０ａを消灯させる。なお、ステップ３３およびステップ３４の実行タイミングは任意である。
【００７３】
〔第５の動作例：図８〕
第５の動作例では、背景光源に対する制御指示に応じてスリット形成部５４と背景光源とを連係制御する場合を説明する。この動作例は、光源５１が可視光源であり、かつ背景光源が可視背景光源と赤外背景光源の双方を含む場合に適用される。
【００７４】
この動作例が適用される場合、背景光源に対する制御内容と、スリット形成部５４に対する制御内容とを対応付ける対応情報が、制御部１０１の記憶部にあらかじめ記憶される。この対応情報には、たとえば、使用される背景光源の種別（可視背景光源２０ａ、赤外背景光源２０ｂ）と、スリット幅の値とが対応付けられている。この動作例の対応情報では、使用される背景光源の種別が赤外背景光源２０ｂであることと、スリットを閉じること（つまりスリット幅をゼロにすること）とが対応付けられている。
【００７５】
（ステップ４１：赤外背景光源の点灯指示）
制御指示として、赤外背景光源２０ｂを点灯させるための指示がなされる。この制御指示は、操作部１０３を用いて、または制御部１０１によって実行される。この制御指示は、可視背景光源２０ａが点灯されている状態から赤外背景光源２０ｂの点灯に切り替えるための指示、または背景照明光が照明されていない状態において赤外背景光源２０ｂを点灯させるための指示である。
【００７６】
（ステップ４２：制御内容の決定）
制御部１０１は、対応情報を参照することで、ステップ４１で入力された制御指示（赤外背景光源２０ｂの点灯）に対応する制御内容を決定する。この制御内容は、スリット幅をゼロにすることである。スリット幅をゼロにするとは、スリット幅がゼロでない状態からゼロにすること、またはスリット幅がゼロである状態を維持することである。
【００７７】
（ステップ４３：赤外背景光源の点灯）
制御部１０１は、ステップ４２で決定された制御内容に基づいて赤外背景光源２０ｂを点灯させる。それにより、赤外光を含む背景照明光が被検眼Ｅに照射される。なお、可視背景光源２０ａが点灯されている状態においてステップ４１の制御指示がなされた場合、制御部１０１は、可視背景光源２０ａを消灯させる。
【００７８】
（ステップ４４：スリットを閉じる）
スリット幅がゼロである状態においてステップ４１の制御指示がなされた場合には、ステップ４４を行う必要はない。一方、スリットが開いている状態においてステップ４１の制御指示がなされた場合、制御部１０１は、ステップ４２で決定された制御内容に基づいてスリット形成部５４を制御することによりスリットを閉じさせる。なお、ステップ４４を実行する場合において、ステップ４３およびステップ４４の実行タイミングは任意である。
【００７９】
〔第６の動作例：図９〕
第６の動作例では、使用されている背景照明光の種別（可視、赤外）を呈示する場合を説明する。第６の動作例は、背景照明系２０に可視背景光源と赤外背景光源の双方が設けられている場合に適用可能である。
【００８０】
（ステップ５１：背景照明光の種別の指示）
制御指示として、所望の種別の背景照明光を出力させるための指示がなされる。この指示は、背景照明光が照射されていない状態においては、所望の種別の背景照明光を照射させるための指示であり、背景照明光が照射されている状態においては、異なる種別の背景照明光の照射への切り替え指示である。この指示は、操作部１０３を用いて、または制御部１０１によって実行される。
【００８１】
（ステップ５２：背景光源の制御）
制御部１０１は、ステップ５１で指示された種別の背景照明光を出力させるように可視背景光源２０ａおよび／または赤外背景光源２０ｂを制御する。可視背景光源２０ａおよび赤外背景光源２０ｂのいずれも点灯されていない状態でステップ５１の制御指示がなされた場合、制御部１０１は、指示された種別に対応する背景光源（つまり可視背景光源２０ａまたは赤外背景光源２０ｂ）を点灯させる。可視背景光源２０ａおよび赤外背景光源２０ｂの一方（たとえば可視背景光源２０ａ）が点灯されている状態でステップ５１の制御指示がなされた場合、制御部１０１は、この背景光源（たとえば可視背景光源２０ａ）を消灯させ、かつ他方の背景光源（たとえば赤外背景光源２０ｂ）を点灯させる。
【００８２】
（ステップ５３：背景照明光の種別の呈示）
制御部１０１は、ステップ５１で照射するよう指示された背景照明光の種別（可視、赤外）を示す情報を表示部１０２に表示させる。この場合、ステップ５２とステップ５３を実行させるタイミングは任意である。
【００８３】
他の処理の例として、制御部１０１は、ステップ５２で点灯された背景光源の種別（可視、赤外）を示す情報を表示部１０２に表示させることができる。この場合、ステップ５３はステップ５２の後に実行される。
【００８４】
［作用・効果］
実施形態に係るスリットランプ顕微鏡の作用および効果について説明する。
【００８５】
実施形態に係るスリットランプ顕微鏡は、主照明系と、背景照明系と、観察系と、制御部とを有する。
【００８６】
主照明系（照明系８）は、第１の光（照明光）を出力する第１の光源部（光源５１）と、幅が可変なスリットを形成するスリット形成部（スリット形成部５４）とを含む。主照明系は、スリットを通過した第１の光で被検眼を照明する。
【００８７】
背景照明系（背景光学系２０）は、第２の光（背景照明光）を出力する第２の光源部（背景光源）を含み、被検眼に対する第１の光の照射領域の周囲の領域を第２の光で照明する。
【００８８】
観察系（観察系６）は、接眼レンズ（接眼レンズ３７）と、撮像装置（撮像装置１３）と、光学素子群とを含む。光学素子群は、被検眼による第１の光の反射光および第２の光の反射光を、接眼レンズおよび撮像装置に導く。
【００８９】
制御部（制御部１０１）、主照明系（照明系８）と第２の光源部（背景光源）とを連係制御する。
【００９０】
このようなスリットランプ顕微鏡によれば、主照明系によるスリット光の照射状態と、背景照明系による背景照明光の照射状態とを連係制御することが可能である。
【００９１】
制御部（制御部１０１）は、主照明系（照明系８）のうちの第１の光源部（光源５１）と、第２の光源部（背景光源）とを連係制御することができる。
【００９２】
それにより、第１の光源部に起因するスリット光の照射状態（スリット光の明るさ）と、背景照明光の照射状態とを連係制御することが可能である。このような連係制御の例として、前述した第１〜第３の動作例がある。
【００９３】
制御部（制御部１０１）は、第２の光源部（背景光源）に対する制御指示を受けたときに、この制御指示の内容に基づいて第１の光源部（光源５１）と第２の光源部（背景光源）とを連係制御することができる。
【００９４】
それにより、背景照明光の照射状態に対する制御指示に対して、スリット光の照射状態と背景照明光の照射状態とを連係制御することが可能となる。このような連係制御の例として、前述した第１および第２の動作例がある。
【００９５】
第１の光源部（光源５１）が、第１の光として第１の可視光を出力する第１の可視光源（光源５１）を含み、かつ、第２の光源部（背景光源）が、第２の光として第２の可視光を出力する第２の可視光源（可視背景光源２０ａ）を含む場合において、制御部（制御部１０１）は、次の連係制御を行うことができる。
【００９６】
第２の可視光の強度を変更するための指示を制御指示として受けたときに、制御部（制御部１０１）は、この指示に応じた第１の変更量だけ第２の可視光の強度を変更させるように第２の可視光源（可視背景光源２０ａ）を制御し、かつ、この第１の変更量に応じた第２の変更量だけ第１の可視光の強度を変更させるように第１の可視光源（光源５１）を制御する。
【００９７】
この連携制御によれば、背景照明光の明るさの調整に対応してスリット光の明るさも自動で調整されるので、ユーザによる作業量を低減させることができる。このような連係制御の例として、前述した第１の動作例がある。
【００９８】
第１の光源部（光源５１）が、第１の光として第１の可視光を出力する第１の可視光源（光源５１）を含み、かつ、第２の光源部（背景光源）が、第２の光として第２の可視光を出力する第２の可視光源（可視背景光源２０ａ）と、第２の光として赤外光を出力する赤外光源（赤外背景光源２０ｂ）とを含む場合において、制御部（制御部１０１）は、次の連係制御を行うことができる。
【００９９】
制御部（制御部１０１）は、第２の可視光源（可視背景光源２０ａ）と赤外光源（赤外背景光源２０ｂ）とを択一的に点灯させる。更に、制御部（制御部１０１）は、赤外光源（赤外背景光源２０ｂ）を点灯させるための指示を制御指示として受けたときに、赤外光源（赤外背景光源２０ｂ）を点灯させるように第２の光源部（背景光源）を制御し、かつ、第１の可視光の出力を停止させるように第１の可視光源（光源５１）を制御する。
【０１００】
この連携制御によれば、たとえばマイボーム腺の観察を開始するときなどにおいて、赤外の背景照明光の使用が指示されると、不要な照明光（スリット光）を自動で消灯することができる。このような連係制御の例として、前述した第２の動作例がある。
【０１０１】
制御部（制御部１０１）は、第１の光源部（光源５１）に対する制御指示を受けたときに、この制御指示の内容に基づいて第１の光源部（光源５１）と第２の光源部（背景光源）とを連係制御することができる。
【０１０２】
それにより、スリット光の照射状態に対する制御指示に対して、スリット光の照射状態と背景照明光の照射状態とを連係制御することが可能となる。このような連係制御の例として、前述した第３の動作例がある。
【０１０３】
第１の光源部（光源５１）が、第１の光として第１の可視光を出力する第１の可視光源（光源５１）を含み、かつ、第２の光源部（背景光源）が、第２の光として第２の可視光を出力する第２の可視光源（可視背景光源２０ａ）を含む場合において、制御部（制御部１０１）は、次の連係制御を行うことができる。
【０１０４】
第１の可視光の強度を変更するための指示を制御指示として受けたときに、制御部（制御部１０１）は、この指示に応じた第１の変更量だけ第１の可視光の強度を変更させるように第１の可視光源（光源５１）を制御し、かつ、この第１の変更量に応じた第２の変更量だけ第２の可視光の強度を変更させるように第２の可視光源（可視背景光源２０ａ）を制御する。
【０１０５】
この連携制御によれば、スリット光の明るさの調整に対応して背景照明光の明るさも自動で調整されるので、ユーザによる作業量を低減させることができる。このような連係制御の例として、前述した第３の動作例がある。
【０１０６】
制御部（制御部１０１）は、主照明系（照明系８）のうちのスリット形成部（スリット形成部５４）と、第２の光源部（背景光源）とを連係制御することができる。
【０１０７】
それにより、スリット形成部に起因するスリット光の照射状態（スリット幅）と、背景照明光の照射状態とを連係制御することが可能である。このような連係制御の例として、前述した第４および第５の動作例がある。
【０１０８】
第１の光源部（光源５１）が、第１の光として第１の可視光を出力する第１の可視光源（光源５１）を含み、かつ、第２の光源部（背景光源）が、第２の光として第２の可視光を出力する第２の可視光源（可視背景光源２０ａ）を含む場合において、制御部（制御部１０１）は、次の連係制御を行うことができる。
【０１０９】
スリットの幅を変更するための制御指示を受けたときに、制御部（制御部１０１）は、この指示に応じた第１の変更量だけスリットの幅を変更させるようにスリット形成部（スリット形成部５４）を制御し、かつ、この第１の変更量に応じた第２の変更量だけ第２の可視光の強度を変更させるように第２の可視光源（可視背景光源２０ａ）を制御する。
【０１１０】
この連携制御によれば、スリット幅の調整に対応して背景照明光の明るさも自動で調整されるので、ユーザによる作業量を低減させることができる。このような連係制御の例として、前述した第４の動作例がある。
【０１１１】
制御部（制御部１０１）は、スリットの幅を所定閾値以上に拡大するようにスリット形成部（スリット形成部５４）の制御を行う場合、第２の可視光源（可視背景光源２０ａ）を消灯させることができる。
【０１１２】
この連携制御によれば、閾値以上にスリット幅が拡大されることに対応して、不要な背景照明光を自動で消灯させることができるので、ユーザによる作業量を低減させることができる。このような連係制御の例として、前述した第４の動作例がある。
【０１１３】
第１の光源部（光源５１）が、第１の光として第１の可視光を出力する第１の可視光源（光源５１）を含み、かつ、第２の光源部（背景光源）が、第２の光として第２の可視光を出力する第２の可視光源（可視背景光源２０ａ）と、第２の光として赤外光を出力する赤外光源（赤外背景光源２０ｂ）とを含む場合において、制御部（制御部１０１）は、次の連係制御を行うことができる。
【０１１４】
制御部１０１は、第２の可視光源（可視背景光源２０ａ）と赤外光源（赤外背景光源２０ｂ）とを択一的に点灯させる。更に、制御部（制御部１０１）は、赤外光源（赤外背景光源２０ｂ）を点灯させるための指示を制御指示として受けたときに、赤外光源（赤外背景光源２０ｂ）を点灯させるように第２の光源部（背景光源）を制御し、かつ、スリットを閉じさせるようにスリット形成部（スリット形成部５４）を制御する。
【０１１５】
この連携制御によれば、たとえばマイボーム腺の観察を開始するときなどにおいて、赤外の背景照明光の使用が指示されると、不要な照明光（スリット光）の被検眼への照射を自動で停止することができる。このような連係制御の例として、前述した第５の動作例がある。
【０１１６】
実施形態に係るスリットランプ顕微鏡は、制御指示を入力するための操作部（操作部１０３）を有していてよい。
【０１１７】
それにより、手動での制御指示に対応して、前述したような連係制御を行うことができる。
【０１１８】
第２の光源部（背景光源）が、第２の光として可視光を出力する可視光源（可視背景光源２０ａ）と、第２の光として赤外光を出力する赤外光源（赤外背景光源２０ｂ）とを含む場合において、制御部（制御部１０１）は、次の制御を行うことができる。
【０１１９】
制御部（制御部１０１）は、可視光源（可視背景光源２０ａ）と赤外光源（赤外背景光源２０ｂ）とを択一的に点灯させる。更に、制御部１０１は、可視光源（可視背景光源２０ａ）および赤外光源（赤外背景光源２０ｂ）のいずれが点灯されているかを示す情報を表示手段（表示部１０２）に表示させる。
【０１２０】
それにより、ユーザは、どの種別（可視、赤外）の背景照明光が用いられているかを把握することができる。
【０１２１】
なお、表示される情報は、背景照明光の種別だけでなく、その強度（明るさ）を示す情報を含んでいてよい。
【０１２２】
表示手段は、実施形態のスリットランプ顕微鏡に含まれていてもよいし、外部の表示デバイスであってもよい。また、表示手段は、表示デバイス（ＬＣＤ等）である必要はない。たとえば、背景照明光の種別や強度に応じてその点灯状態が制御部（制御部１０１）により制御される１つ以上の発光部材（ＬＥＤ等）を、表示手段として用いることが可能である。
【０１２３】
上記の実施形態の構成は、この発明を実施するための一例に過ぎない。この発明を実施しようとする者は、この発明の要旨の範囲内における任意の変形（付加、省略、置換等）を行うことが可能である。
【符号の説明】
【０１２４】
１  スリットランプ顕微鏡
６  観察系
８  照明系
１３  撮像装置
２０  背景照明系
２０ａ  可視背景光源
２０ｂ  赤外背景光源
３７  接眼レンズ
５１  光源
５４  スリット形成部
１００  コンピュータ
１０１  制御部
１０２  表示部
１０３  操作部
Ｅ  被検眼
【図１】
2014188339.tif 000003
【図２】
2014188339.tif 000004
【図３】
2014188339.tif 000005
【図４】
2014188339.tif 000006
【図５】
2014188339.tif 000007
【図６】
2014188339.tif 000008
【図７】
2014188339.tif 000009
【図８】
2014188339.tif 000010
【図９】
2014188339.tif 000011